(57)【要約】【課題】記録媒体を案内する案内部材への案内部材の吸着を抑制することができる画像形成装置及び定着装置を提供する。【解決手段】画像形成装置１０は、トナー像が転写された用紙に接触した状態で回転する加熱ロール３１０と、加熱ロール３１０に接触し、ニップ部Ｎを形成する加圧ロール３３０と、用紙を支持し、ニップ部Ｎへと用紙を案内し、通気用の貫通孔３５２が形成されている案内板３５０と、貫通孔３５２を通過する向きの気流を発生させる送風ファン装置３６０とを有し、送風ファン装置３６０は、用紙の先端部がニップ部Ｎに到達するまでは、用紙が案内板３５０から離れる向きの気流を発生させる。【選択図】図３
2016166913.tif 000002
【特許請求の範囲】
【請求項１】
トナー像を形成する像形成部と、
前記像形成部で形成されたトナー像が転写された記録媒体に接触した状態で回転する回転体と、
前記回転体に接触し、前記回転体との間に記録媒体が挟み込まれる挟込領域を形成する挟込領域形成部材と、
前記像形成部で形成されたトナー像が転写された記録媒体をトナー像が転写された側の面と逆側の面から支持し、前記挟込領域へと記録媒体を案内する案内部材であって、通気用の貫通孔が形成されている前記案内部材と、
前記貫通孔を通過する向きの気流を発生させる気流発生装置と、
を有し、
前記気流発生装置は、記録媒体の先端部が前記挟込領域形成部に到達するまでは、記録媒体が前記案内部材から離れる向きの気流を発生させる画像形成装置。
【請求項２】
前記気流発生装置は、記録媒体の先端部が前記挟込領域を通過した後に、記録媒体が前記案内部材に吸着される向きの気流を発生させる請求項１記載の画像形成装置。
【請求項３】
像形成部で形成されたトナー像が転写された記録媒体に接触した状態で回転する回転体と、
前記回転体に接触し、前記回転体との間に記録媒体が挟み込まれる挟込領域を形成する挟込領域形成部材と、
前記像形成部で形成されたトナー像が転写された記録媒体をトナー像が転写された側の面と逆側の面から支持し、前記挟込領域へと記録媒体を案内する案内部材であって、通気用の貫通孔が形成されている前記案内部材と、
前記貫通孔を通過する向きの気流を発生させる気流発生装置と、
を有し、
前記気流発生装置は、記録媒体の先端部が前記挟込領域形成部に到達するまでは、記録媒体が前記案内部材から離れる向きの気流を発生させる定着装置。
【発明の詳細な説明】
【技術分野】
【０００１】
本発明は、画像形成装置及び定着装置に関する。
【背景技術】
【０００２】
特許文献１には、像担持体上に形成されたトナー像を用紙に転写する転写部と、前記転写部よりも用紙搬送方向の下流側に設けられ、転写されたトナー像を加熱により前記用紙に定着する定着部と、前記転写部と前記定着部との間に設けられ、前記用紙を吸着するための吸引口を有する搬送ガイド部と、前記吸引口からエアを吸引し、前記用紙を前記搬送ガイド部に吸着させる吸引部と、前記吸引部の駆動を制御する制御部と、を備え、前記用紙の両面に画像を形成可能な画像形成装置であって、前記制御部は、少なくとも前記用紙の搬送方向後端部が前記吸引口を通過する時は前記吸引部による吸引を停止する用紙吸着制御を行うことを特徴とする画像形成装置が記載されている。
【先行技術文献】
【特許文献】
【０００３】
【特許文献１】特開２０１３−１１６３５号公報
【発明の概要】
【発明が解決しようとする課題】
【０００４】
本発明は、記録媒体を案内する案内部材への案内部材の吸着を抑制することができる画像形成装置及び定着装置を提供することを目的とする。
【課題を解決するための手段】
【０００５】
請求項１に係る本発明は、トナー像を形成する像形成部と、前記像形成部で形成されたトナー像が転写された記録媒体に接触した状態で回転する回転体と、前記回転体に接触し、前記回転体との間に記録媒体が挟み込まれる挟込領域を形成する挟込領域形成部材と、前記像形成部で形成されたトナー像が転写された記録媒体をトナー像が転写された側の面と逆側の面から支持し、前記挟込領域へと記録媒体を案内する案内部材であって、通気用の貫通孔が形成されている前記案内部材と、前記貫通孔を通過する向きの気流を発生させる気流発生装置と、を有し、前記気流発生装置は、記録媒体の先端部が前記挟込領域形成部に到達するまでは、記録媒体が前記案内部材から離れる向きの気流を発生させる画像形成装置である。
【０００６】
請求項２に係る本発明は、前記気流発生装置は、記録媒体の先端部が前記挟込領域を通過した後に、記録媒体が前記案内部材に吸着される向きの気流を発生させる請求項１記載の画像形成装置である。
【０００７】
請求項３に係る本発明は、像形成部で形成されたトナー像が転写された記録媒体に接触した状態で回転する回転体と、前記回転体に接触し、前記回転体との間に記録媒体が挟み込まれる挟込領域を形成する挟込領域形成部材と、前記像形成部で形成されたトナー像が転写された記録媒体をトナー像が転写された側の面と逆側の面から支持し、前記挟込領域へと記録媒体を案内する案内部材であって、通気用の貫通孔が形成されている前記案内部材と、前記貫通孔を通過する向きの気流を発生させる気流発生装置と、
を有し、前記気流発生装置は、記録媒体の先端部が前記挟込領域形成部に到達するまでは、記録媒体が前記案内部材から離れる向きの気流を発生させる定着装置である。
【発明の効果】
【０００８】
請求項１に係る本発明によれば、記録媒体を案内する案内部材への案内部材の吸着を抑制することができる画像形成装置を提供することができる。
【０００９】
請求項２に係る本発明によれば、未定着のトナー像が転写された記録媒体の挙動が不安定になることを原因とするトナー像の乱れを抑制することができる。
【００１０】
請求項３に係る本発明によれば、記録媒体を案内する案内部材への案内部材の吸着を抑制することができる定着装置を提供することができる。
【図面の簡単な説明】
【００１１】
【図１】本発明の実施形態に係る画像形成装置の構成を示す図である。
【図２】図１に示す画像形成装置が有するトナー像形成部の構成を示す図である。
【図３】図１に示す画像形成装置が有する定着装置の構成を示す図である。
【図４】図１に示す画像形成装置が有する制御部を示すブロック図である。
【図５】図１に示す画像形成装置の動作を説明するフローチャートである。
【図６】第１の比較例に係る画像形成装置において用紙が搬送される状態を示す図である。
【図７】第２の比較例に係る画像形成装置において用紙が搬送される状態を示す図である。
【発明を実施するための形態】
【００１２】
次に、本発明を実施するための形態を図面を参照して説明する。図１には、本発明の実施形態に係る画像形成装置１０が示されている。図１に示すように、画像形成装置１０は画像形成装置本体１２を有し、画像形成装置本体１２には、記録媒体として用いられている用紙を排出する排出口１４が形成されている。
【００１３】
画像形成装置本体１２内には、用紙を搬送するための搬送路７００が形成されている。また、画像形成装置本体１２内には、搬送路７００に沿って用紙搬送方向における上流側から順に、例えば２つの給紙装置６００と、給紙装置６００から供給された用紙に転写され、定着されるトナー像を形成するための像形成部１００と、像形成部１００によって形成され、用紙に対して転写されたトナー像を用紙に定着するための定着装置３００とが配置されている。また、搬送路７００近傍であって、用紙の搬送方向において後述する２次転写ロール１３４よりも上流側の位置には、用紙を検知する検知部として用いられているセンサ３７０が配置されている。
【００１４】
給紙装置６００は、それぞれが用紙収納部６０２と、用紙収納部６０２に収納された最上位に位置する用紙を搬送路７００へと送り出す送出装置６０４とを有する。
【００１５】
像形成部１００は、像保持体として用いられている感光体ドラム１１２Ｙ、１１２Ｍ、１１２Ｃ、１１２Ｋをそれぞれに有し、感光体ドラム１１２Ｙ、１１２Ｍ、１１２Ｃ、１１２Ｋの表面にイエロートナー像、マゼンタトナー像、シアントナー像、黒トナー像をそれぞれに形成するイエロートナー像形成ユニット１１０Ｙ、マゼンタトナー像形成ユニット１１０Ｍ、シアントナー像形成ユニット１１０Ｃ、黒トナー像形成ユニット１１０Ｋを有する。イエロートナー像形成ユニット１１０Ｙ、マゼンタトナー像形成ユニット１１０Ｍ、シアントナー像形成ユニット１１０Ｃ及び黒トナー像形成ユニット１１０Ｋの詳細は後述する。
【００１６】
また、像形成部１００は、転写装置１３０を有し、転写装置１３０は中間転写ベルト１３２を有する。中間転写ベルト１３２は、トナー像が転写される転写体として用いられていて、図１に示す矢印ａ方向に回転する。また、中間転写ベルト１３２には、感光体ドラム１１２Ｙ、１１２Ｍ、１１２Ｃ、１１２Ｋにそれぞれ形成されたトナー像が重ねられるように転写され、重ねるように転写されたトナー像が用紙収納部６０２から搬送路７００を用いて搬送されてきた用紙へとさらに転写される。
【００１７】
中間転写ベルト１３２から用紙へのトナー像の転写は、２次転写ロール１３４によって静電的になされる。このためトナー像が転写された後の用紙が帯電された状態のまま下流側に搬送されることがあり、帯電されたままの状態の用紙が、例えば後述する案内板３５０（図３を参照）等に静電的に吸着することを原因とする用紙の搬送不良が生じる虞がある。
【００１８】
定着装置３００は、用紙に転写されたトナー像を少なくとも熱を用いて用紙に定着させる装置である。定着装置３００の詳細は後述する。
【００１９】
図２には、トナー像形成ユニット１１０Ｙ、１１０Ｍ、１１０Ｃ、１１０Ｋが示されている。トナー像形成ユニット１１０Ｙ、１１０Ｍ、１１０Ｃ及び１１０Ｋは、用いるトナーの色と形成する画像の色とが互いに異なるものの構成が互いに同一であるため、以下、トナー像形成ユニット１１０と総称して説明する。図２に示すように、トナー像形成ユニット１１０は、感光体ドラム１１２の表面を帯電させる帯電装置１１４と、帯電装置１１４により帯電された感光体ドラム１１２の表面に光を照射して潜像を形成させる潜像形成装置１１６と、潜像形成装置１１６によって感光体ドラム１１２の表面に形成された潜像をトナーを用いて現像する現像装置１１８と、中間転写ベルト１３２に対してトナー像が転写された後の感光体ドラム１１２の表面を清掃する清掃装置１２２とを有する。
【００２０】
図３には定着装置３００が示されている。図３に示されているように、定着装置３００は加熱ロール３１０を有する。加熱ロール３１０は、像形成部１００（図１を参照）によって形成されたトナー像Ｉが転写された用紙Ｐに接触した状態で回転する回転体として用いられている。また、加熱ロール３１０は、円筒形状の芯金３１２と、芯金を覆う弾性体層３１４とを有し、中空部に、例えばハロゲンランプ等を用いることができる熱源３１６が配置されている。
【００２１】
また、加熱ロール３１０には、駆動源として用いられているモータ３２０が、例えばギア列等を用いることができる駆動伝達機構を介して連結されている。加熱ロール３１０は、モータ３２０からの駆動伝達を受け、図３に示されている矢印ｂ方向に回転する。
【００２２】
また、定着装置３００は加圧ロール３３０を有する。加圧ロール３３０は、加熱ロール３１０に接触し、加熱ロール３１０との間に用紙が挟み込まれる挟込領域であるニップ部Ｎを形成する挟込領域形成部材として用いられている。加圧ロール３３０は、例えば加熱ロール３１０に従動する等の構成により、図３に示されている矢印ｃ方向に回転する。
【００２３】
また、定着装置３００は、用紙の搬送を案内する案内板３４０と、同じく用紙の搬送を案内する案内板３５０とを有する。案内板３４０は、ニップ部Ｎよりも用紙の搬送方向において上流側であり、搬送路７００よりも重力方向における上側に配置されている。案内板３５０は、ニップ部Ｎよりも用紙の搬送方向において上流側であり、搬送路７００よりも重力方向における下側に配置されている。
【００２４】
案内板３４０と案内板３５０とは、それぞれが金属製である。このため、案内する用紙が帯電している場合は、用紙が静電的に吸着しやすい。
【００２５】
案内板３５０は、案内部材として用いられていて、像形成部１００（図１を参照）で形成されたトナー像Ｉが転写された用紙Ｐを、トナー像Ｉが転写された側の面である上側の面と逆側の面である下側の面から支持していて、ニップ部Ｎへと用紙を案内する。また、案内板３５０には、例えば複数個の通気用の貫通孔３５２が形成されている。貫通孔３５２は、案内板３５０の一方の面側から他方の側への気体の移動を許容するように形成されている。
【００２６】
貫通孔３５２は、案内板３５０の全域に渡って分布するように十分な数を形成することが望ましい。また、貫通孔３５２は、案内中の用紙の先端部等が入り込まない程度に径を小さくすることが望ましい。
【００２７】
案内板３５０の重力方向における下側の位置であって、案内板３５０に対して搬送路７００と逆側の位置には、送風ファン装置３６０が配置されている。送風ファン装置３６０は、貫通孔３５２を通過する向きの気流を発生させる気流発生装置として用いられていて、回転するファン部材３６２を有する。送風ファン装置３６０は、例えばファン部材３６２が回転する向きを切り替えることによって、送風ファン装置３６０側から案内板３５０側へ向けての気流の発生と、案内板３５０側から送風ファン装置３６０側へ向けての気流の発生とを切り替えることができるようになっている。
【００２８】
また、搬送路７００に沿った位置であり、用紙の搬送方向においてニップ部Ｎよりも上流側の位置には、先述のセンサ３７０が配置されている。また、搬送路７００に沿った位置であり、用紙の搬送方向においてニップ部Ｎよりも下流側の位置には、用紙の検知する検知部として用いられているセンサ３８０が配置されている。
【００２９】
図４には、画像形成装置１０が有する制御部８００が示されている。図４に示すように、制御部８００は、例えばＣＰＵ等を用いることができる制御回路８０２を有し、制御回路８０２へと通信インターフェイス８０４を介して画像データが入力される。また、制御回路８０２には、センサ３７０からの出力と、センサ３８０からの出力とが入力され、制御回路８０２からの出力に基づいて、像形成部１００と、モータ３２０と、送風ファン装置３６０とが制御される。
【００３０】
図５には、画像形成装置１０の主として送風ファン装置３６０の動作が説明されている。制御回路８０２に画像データが入力されることによって一連の制御が開始されると、ステップＳ１０において搬送路７００を搬送中の用紙の先端部をセンサ３７０が検知することを待って、ステップＳ２０において、制御回路８０２は送風ファン装置３６０を制御し、送風ファン装置３６０に用紙が案内板３５０から離れる方向の気流の発生を開始させる。すなわち、制御回路８０２は、送風ファン装置３６０に、送風ファン装置３６０側から案内板３５０側への気流を発生させる。
【００３１】
送風ファン装置３６０が、送風ファン装置３６０側から案内板３５０側への気流を発生させると、この気流が通気用の貫通孔３５２を通過し、通過した気流が、搬送路７００を搬送中の用紙Ｐを案内板３５０から離れるように押し上げる。このように、送風ファン装置３６０の作用により用紙Ｐが案内板３５０から離れる方向へと移動するため、用紙Ｐがたとえ帯電した状態であっても用紙Ｐが案内板３５０に吸着しにくい。
【００３２】
次に、ステップＳ３０においてニップ部Ｎを通過した用紙の先端部をセンサ３８０が検知することを待って、ステップＳ４０において、制御回路８０２は送風ファン装置３６０を制御して、送風ファン装置３６０に発生させる気流の向きを切り替えさせ、送風ファン装置３６０に用紙が案内板３５０に吸着される方向の気流の発生を開始させる。すなわち、制御回路８０２は、送風ファン装置３６０に、案内板３５０側から送風ファン装置３６０側への気流を発生させる。
【００３３】
送風ファン装置３６０が、案内板３５０側から送風ファン装置３６０側かへの気流を発生させることにより用紙が案内板３５０に吸着されると、たとえコシが強い用紙（剛性が大きい用紙）を用いている場合であっても、用紙の後端側が跳ね上がるとの挙動をしにくくなり、用紙の後端部側が跳ね上がり、未定着のトナー像Ｉが案内板３４０に接触する等の理由で生じる虞がある画像の乱れが生じにくくなる。
【００３４】
次のステップＳ５０で、制御回路８０２は、入力された画像データから予め定められた所定数の画像の用紙Ｐへの定着が完了したか否かを判別し、所定数の画像の用紙Ｐへの定着が完了したとの判別がなされた場合、ステップＳ６０で送風ファン装置３６０に気流の発生を停止させ、一連の制御を終了させる。
【００３５】
図６には、第１の比較例に係る画像形成装置において用紙が搬送される状態が示されている。先述の本発明の実施形態に係る画像形成装置１０においては、用紙Ｐの先端部がニップ部Ｎに到達するまでは、用紙Ｐが案内板３５０から離れる向きの気流を送風ファン装置３６０が発生させた。これに対して、この第１の比較例においては、用紙Ｐの先端部がニップ部Ｎに到達するまでの間に、用紙Ｐが案内板３５０から離れる向きの気流の発生がなされない。このため、図６に示すように、用紙Ｐが案内板３５０に静電的に吸着しやすく、用紙Ｐが案内板３５０に静電的に吸着することによる用紙Ｐの搬送不良が生じやすい。
【００３６】
図７には、第２の比較例に係る画像形成装置において用紙が搬送される状態が示されている。先述の本発明の実施形態に係る画像形成装置１０においては、用紙Ｐの先端部がニップ部Ｎに到達した後に、用紙Ｐが案内板３５０に吸着される向きの気流を送風ファン装置３６０が発生させた。これに対して、この第２の比較例においては、用紙Ｐの先端部がニップ部Ｎに到達した後に、用紙Ｐを案内板３５０に吸着させる向きの気流の発生がなされない。このため、図７に示すように、ニップ部Ｎに挟み込まれた状態にある用紙Ｐの後端部が、用紙Ｐのコシにより跳ね上がりやすい。そして、用紙Ｐの後端部が跳ね上がった状態となると、用紙Ｐが案内板３４０に接触し、用紙Ｐに転写された未定着のトナー像Ｉに乱れが生じてしまうとともに、案内板３４０にトナーが付着し、案内板３４０がトナーにより汚れた状態となってしまう。
【産業上の利用可能性】
【００３７】
以上で説明をしたように、本発明は、複写機、ファクシミリ装置、プリンタ等の画像形成装置と、例えばこれらの画像形成装置で用いられる定着装置とに適用することができる。
【符号の説明】
【００３８】
１０・・・画像形成装置
１００・・・像形成部
３００・・・定着装置
３１０・・・加熱ロール
３３０・・・加圧ロール
３５０・・・案内板
３５２・・・貫通孔
３６０・・・送風ファン装置
３７０・・・センサ
３８０・・・センサ
Ｎ・・・ニップ部
【図１】
2016166913.tif 000003
【図２】
2016166913.tif 000004
【図３】
2016166913.tif 000005
【図４】
2016166913.tif 000006
【図５】
2016166913.tif 000007
【図６】
2016166913.tif 000008
【図７】
2016166913.tif 000009